(57)【要約】【課題】炉蓋枠に対する炉蓋ナイフエッジの密着性を向上させて、炉蓋の密閉を確実に行う。【解決手段】炉蓋本体に装着したナイフエッジを炉蓋枠に押し当てて炉蓋部分の密閉を行うための室式コークス炉の炉蓋密閉装置において、炉蓋本体１とナイフエッジ９との間に、ナイフエッジ９を炉蓋枠１２に押し当てるためのジャッキボルト４およびコイルバネ１０を配設する。ジャッキボルト４を用いて炉蓋本体１とナイフエッジ９とを密着させた後、コイルバネ１０を用いて炉蓋本体１と炉蓋枠１２との相対変位に対してナイフエッジ９を追従させる。【選択図】　　　　　図１
2004137338.tif 000002
【特許請求の範囲】
【請求項１】
炉蓋本体に装着したナイフエッジを炉蓋枠に押し当てて炉蓋部分の密閉を行うための室式コークス炉の炉蓋密閉装置において、
前記炉蓋本体と前記ナイフエッジとの間に、ナイフエッジを炉蓋枠に押し当てるためのジャッキボルトおよびコイルバネを配設し、
前記ジャッキボルトを用いて前記炉蓋本体と前記ナイフエッジとを密着させた後、前記コイルバネを用いて前記炉蓋本体と前記炉蓋枠との相対変位に対して前記ナイフエッジを追従させることを特徴とする室式コークス炉の炉蓋密閉装置。
【発明の詳細な説明】
【０００１】
【発明の属する技術分野】
本発明は、炉蓋本体に装着したナイフエッジを炉蓋枠に押し当てて炉蓋部分の密閉を行うための室式コークス炉の炉蓋密閉装置に関する。
【０００２】
【従来の技術】
従来、室式コークス炉では、炉蓋部分からのガスリーク等を抑制するための炉蓋密閉装置が種々開発されている。
例えば、炉蓋本体の正面側に一定の間隙または断熱材をおいて炉口全体を覆うシールプレートを取り付け、このシールプレートの端縁がドアフレームに当接するとともに、シールプレートの端縁または全体をスプリングにより常時ドアフレームに押圧するようにしたコークス炉の炉蓋が提案されている（特許文献１参照）。
【０００３】
また、保持体を持つ多数の構成部からなるドア栓体とドア本体との間にシールダイヤフラムプレートを固定し、その外周に内向きにシール条片を設けてバネでドアフレームに圧着したシール機構が提案されている。このシール機構は、ドア本体とドア栓体との間に間隔をおいて扁平なシールダイヤフラムプレートを固定し、その環状の外周に内向きにドアフレームに向けて方向付けたシール条片を設け、このシール条片をプレロードをかけた調整可能なバネによって多数のバネ棒を介してドアフレームに圧着するドアとしたものである。そして、ドアは、ドア栓体を、保持体を有する多数のドア栓体構成部材とし、シールダイヤフラムプレートをドアの上側および下側のみでドア本体と保持体との間にネジ結合し、さらに、ドア中央範囲でシールダイヤフラムプレートを支持薄板および保持体に結合して調整可能な間隔をおいてドア本体に保持させたものである（特許文献２参照）。
【０００４】
また、コークス炉の炉蓋のシールプレート外周に固定したナイフエッジを障害物があっても、設計で理想とする押圧ピッチで押圧するコークス炉の炉蓋密閉装置が提案されている。この炉蓋密閉装置は、コークス炉の炉蓋の本体金物前部に、一端がナイフエッジに固定されたシールプレートの他端を取り付け、ナイフエッジ背面にスプリングを内蔵した押圧具を本体金物に穿孔されているボルト孔に締め付けて固定したものである。そして、ナイフエッジ背面に接触する圧接突起を所定間隔で有し、両端背面が両側の押圧具の圧接金具に当接し、かつ押圧具のスプリングを内蔵した円筒状スプリングケースに接触する移動止めを有する圧接位置調整金具を、常に一定位置のナイフエッジ背面に圧接突起を当接せしめて配設している（特許文献３参照）。
【０００５】
図４，図５を参照して、従来のコイルスプリングを用いた室式コークス炉の炉蓋密閉装置を説明する。図４は炉蓋密閉装置の正面図、また図５は図４の左側面図を示したものである。
従来のコイルスプリングを用いた室式コークス炉の炉蓋密閉装置は、図４，図５に示すように、炉蓋本体１の側面に、取付フランジ２を介してコイルバネプランジャ３を取り付けてある。このコイルバネプランジャ３は、プランジャケーシング５の上部にナイフエッジ圧着ロッド６を有するコイルバネ締付調整ナット７をネジ着し、ナイフエッジ圧着ロッド６の下端部のナイフエッジ押え部８にナイフエッジ９を装着させ、プランジャケーシング５の内部には、コイルバネ締付調整ナット７とナイフエッジ押え部８との間に位置するようにしてコイルバネ１０を挿入してある。
また、ナイフエッジ押え部８の下部にナイフエッジ９が当接しており、ナイフエッジ９の内側面にはシールプレート１１が連結されている。
このコイルバネプランジャ３は、プランジャケーシング５の内部に挿入したコイルバネ１０の反発力により、ナイフエッジ押え部８を介してナイフエッジ９を炉蓋枠１２へ圧着させることができるようになっている。
【０００６】
また、詳細には図示しないが、コイルバネプランジャ３のプランジャケーシング５の上部内面には雌ネジ部が形成してあり、コイルバネ締付調整ナット７の外周面には雄ネジ部が形成してある。したがって、コイルバネ締付調整ナット７を回転させると、プランジャケーシング５の上部内面に形成した雌ネジ部の範囲内でコイルバネ締付調整ナット７が上下方向に移動し、これに伴いコイルバネ締付調整ナット７と一体となったナイフエッジ圧着ロッド６も上下方向に移動する。これにより、プランジャケーシング５の上部内面に形成した雌ネジ部の範囲内でナイフエッジ圧着ロッド６の軸方向におけるナイフエッジ９の締付力を調整することができる。
【０００７】
【特許文献１】実開昭５１−１５９７４４号公報
【特許文献２】特公昭６２−４４３７号公報
【特許文献３】実開平６−２５３４２号公報
【０００８】
【発明が解決しようとする課題】
上述したように、従来の炉蓋密閉装置は、ナイフエッジを叩き出して炉蓋枠に圧着させたり、コイルバネプランジャの反発力によりナイフエッジを炉蓋枠に圧着させるものである。
このような炉蓋密閉装置では、炉蓋閂間において、炉蓋本体と炉蓋枠とが概ね同一方向（水平方向：コークス押出方向）に撓むため、ナイフエッジを両者の撓みに追従させて炉蓋枠へ圧着させることができるため、特に問題は生じない。
【０００９】
しかしながら、閂より上方あるいは下方において、炉蓋本体が片持梁を構成し、炉蓋枠の撓みに対して炉蓋本体の撓みが大きくなる傾向がある。このため、炉蓋本体と炉蓋枠との相対変位の程度によっては、ナイフエッジを炉蓋枠へ圧着することが困難となり、ガスリークが発生するおそれがある。そして、このようなガスリークが発生した場合には、高温かつガスリーク発生という悪環境下で、足場等を設置し、ナイフエッジの圧着調整を行ったり、モルタルによる炉蓋シール部分のメンテナンス作業を行わなければならない。
また、炉蓋の閂より上方あるいは下方において、炉温や炉体の部分変形の影響によりさらに炉蓋枠が炉蓋本体の撓みに対し反対方向に撓んだ場合に、従来の技術では、ナイフエッジを炉蓋の撓みに逆らって炉蓋枠のシート面に圧着するよう押し戻すことができず、ガスリークを抑制することが極めて困難となる。
本発明は、上述した事情に鑑み提案されたもので、炉蓋枠に対するナイフエッジの密着性を向上させて、炉蓋部分の密閉を確実に行うことが可能な室式コークス炉の炉蓋密閉装置を提供することを目的とする。
【００１０】
【課題を解決するための手段】
＜特徴点＞
本発明に係る式コークス炉の炉蓋密閉装置は、上述した目的を達成するため、炉蓋本体に装着したナイフエッジを炉蓋枠に押し当てて炉蓋部分の密閉を行うための室式コークス炉の炉蓋密閉装置において、
前記炉蓋本体と前記ナイフエッジとの間に、ナイフエッジを炉蓋枠に押し当てるためのジャッキボルトおよびコイルバネを配設し、
前記ジャッキボルトを用いて前記炉蓋本体と前記ナイフエッジとを密着させた後、前記コイルバネを用いて前記炉蓋本体と前記炉蓋枠との相対変位に対して前記ナイフエッジを追従させることを特徴とするものである。
【００１１】
＜作用＞
本発明に係る室式コークス炉の炉蓋密閉装置では、ジャッキボルトにより、炉蓋本体とナイフエッジとを確実に密着させることができる。また、炉蓋本体と炉蓋枠との相対変位が生じた場合であっても、コイルバネの反発力によりナイフエッジを炉蓋本体に押し当てることができるので、炉蓋部分における密閉性を向上させることができる。
【００１２】
【発明の実施の形態】
以下、図面に基づいて、本発明に係る室式コークス炉の炉蓋密閉装置の実施形態を説明する。
図１〜図３は、本発明に係る室式コークス炉の炉蓋密閉装置の実施形態を示すもので、図１は炉蓋密閉装置の一部断面とした正面図（紙面に向かって左右が炉の高さ方向）、図２は炉蓋密閉装置の平面図、図３は炉蓋密閉装置の一部断面とした図１の左側面図である。
【００１３】
本発明の実施形態に係る室式コークス炉の炉蓋密閉装置は、図１〜図３に示すように、炉蓋本体１の側面に、取付フランジ２を介して、コイルバネプランジャ３とジャッキボルト４が取り付けられている。
このコイルバネプランジャ３は、従来のコイルバネプランジャ３とほぼ同様の構成を備えており（図４参照）、図１〜図３において詳細には図示しないが、筒体５の上部にナイフエッジ圧着ロッド６を有するコイルバネ締付調整ナット７をネジ着し、ナイフエッジ圧着ロッド６の下端部のナイフエッジ押え部８にナイフエッジ９を装着させ、プランジャケーシング５の内部には、コイルバネ締付調整ナット７とナイフエッジ押さえ片８との間に位置するようにしてコイルバネ１０を挿入してある。また、ナイフエッジ９の内側面にはシールプレート１１が連結されている。
このコイルバネプランジャ３は、プランジャケーシング５の内部に挿入したコイルバネ１０の反発力により、ナイフエッジ押え部８を介してナイフエッジ９を炉蓋枠１２へ圧着させることができるようになっている。
【００１４】
また、詳細には図示しないが、コイルバネプランジャ３のプランジャケーシング５の上部内面には雌ネジ部が形成してあり、コイルバネ締付調整ナット７の外周面には雄ネジ部が形成してある。したがって、コイルバネ締付調整ナット７を回転させると、プランジャケーシング５の上部内面に形成した雌ネジ部の範囲内でコイルバネ締付調整ナット７がナイフエッジ圧着ロッドの軸方向に移動し、これに伴いコイルバネ締付調整ナット７と一体となったナイフエッジ圧着ロッド６も同ロッドの軸方向に移動する。これにより、プランジャケーシング５の上部内面に形成した雌ネジ部の範囲内でナイフエッジ９の水平方向（コークス押出方向）の位置を調整することができる。
【００１５】
なお、本実施形態では、上述したようにコイルバネ締付調整ナット７を備え、ナイフエッジ圧着ロッド６の同ロッド軸方向の位置を調整できるようにしているが、以下に説明するジャッキボルト４により同様の作用を奏することができるため、コイルバネ締付調整ナット７を省略してもよい。
ジャッキボルト４は、図１〜３に示すように、取付フランジ２の一側（図１，図３において左側）に取り付けられている。このジャッキボルト４は、取付片２に固定された上下一対のジャッキボルト装着アーム１３と、ジャッキボルト装着アーム１３に一連に螺着されたボルトロッド１４とを備え、ボルトロッド１４の下端部をナイフエッジ押え１５に挿入させている。
【００１６】
また、ナイフエッジ押え１５の溝部にナイフエッジ９が取り付けられており、ナイフエッジ９の内側面にはシールプレート１１が連結されている。
更に、詳細には図示しないが、ジャッキボルト装着アーム１３には雌ネジ部が形成してあり、ボルトロッド１４の外周面には雄ネジ部が形成してある。したがって、ボルトロッド１４を回転させると、ボルトロッド１４が同ロッド軸方向に移動し、これに伴いナイフエッジ押え１５を介してナイフエッジ９を炉蓋枠１２へ圧着させることができる。
なお、ボルトロッド１４にはアジャスタナット１６が取り付けられており、上側のジャッキボルト装着アーム１３の上面に対してアジャスタナット１６を締め付けることにより、ボルトロッド１４の位置を固定することができる。
【００１７】
【発明の効果】
以上説明したように、本発明に係る室式コークス炉の炉蓋密閉装置によれば、ジャッキボルトを用いて炉蓋本体とナイフエッジとを密着させた後、コイルバネを用いて炉蓋本体と炉蓋枠との相対変位に対してナイフエッジを追従させることができる。
したがって、炉蓋本体とナイフエッジとを確実に密着させることができるとともに、炉蓋本体と炉蓋枠との相対変位が生じた場合であっても、コイルバネの反発力によりナイフエッジを炉蓋本体に押し当てることができるので、炉蓋部分における密閉性を向上させることが可能となる。
このため、炉蓋全体において、ガスリークの発生を防止することができるので、悪環境下におけるナイフエッジの圧着調整作業およびモルタルによる炉蓋シール部分のメンテナンス作業を必要とせず、作業者の負担を大幅に軽減することが可能となる。
また、本発明に係る室式コークス炉の炉蓋密閉装置は、従来のコイルバネを用いた炉蓋密閉装置に対してジャッキボルトを付加したものであるため、従来の炉蓋密閉装置を大幅に改造することなく、既存の設備に対して本発明を適用することが可能となる。
【図面の簡単な説明】
【図１】本発明の実施形態に係る炉蓋密閉装置を示す一部断面とした正面図である。
【図２】本発明の実施形態に係る炉蓋密閉装置を示す平面図である。
【図３】本発明の実施形態に係る炉蓋密閉装置を示す一部断面とした図１の左側面図である。
【図４】従来の炉蓋密閉装置を示す一部断面とした正面図である。
【図５】従来の炉蓋密閉装置を示す一部断面とした図４の左側面図である。
【符号の説明】
１　炉蓋本体
２　取付フランジ
３　コイルバネプランジャ
４　ジャッキボルト
５　プランジャケーシング
６　ナイフエッジ圧着ロッド
７　コイルバネ締付調整ナット
８　ナイフエッジ押え部（コイルバネプランジャ用）
９　ナイフエッジ
１０　コイルバネ
１１　シールプレート
１２　炉蓋枠
１３　ジャッキボルト装着アーム
１４　ボルトロッド
１５　ナイフエッジ押え（ジャッキボルト用）
１６　アジャスタナット
【図１】
2004137338.tif 000003
【図２】
2004137338.tif 000004
【図３】
2004137338.tif 000005
【図４】
2004137338.tif 000006
【図５】
2004137338.tif 000007